(57)【要約】【課題】一般家庭やオフィスビルの室内、自動車室内などにおいて椅子または寝具に極めて簡単に設置することが可能で、利用者がストレス感や疲労感などを簡便に解消でき、しかも経済的有利に利用できるミスト浴装置を提供する。【解決手段】本考案のミスト浴装置ＡＡは、利用者の上半身Ａを覆うミスト浴カバー１と、水溶液ミスト発生装置４と、前記ミスト浴カバー１と前記水溶液ミスト発生装置４とを連結するミスト供給配管５と、前記ミスト供給配管５の前記ミスト浴カバー側の端部に連接され、前記ミスト浴カバー内に水溶液ミストを噴射するノズル６とを備える。【選択図】図１
0003226863.tif 000002
【実用新案登録請求の範囲】
【請求項１】
利用者の上半身を覆うミスト浴カバーと、水溶液ミスト発生装置と、前記ミスト浴カバーと前記水溶液ミスト発生装置とを連結するミスト供給配管と、前記ミスト供給配管の前記ミスト浴カバー側の端部に連接され、前記ミスト浴カバー内に水溶液ミストを噴射するノズルとを備えることを特徴とするミスト浴装置。
【請求項２】
前記水溶液ミストが酸素水、水素水、及び珪素水の少なくとも１種のミストであることを特徴とする請求項１に記載のミスト浴装置。
【請求項３】
利用者が着位する椅子または寝具に着脱可能であることを特徴とする請求項１または２に記載のミスト浴装置。
【請求項４】
前記カバー内に情報発信装置を有することを特徴とする請求項１〜３いずれか１項に記載のミスト浴装置。
【請求項５】
前記情報発信装置は遠隔操作可能に形成されていることを特徴とする請求項４に記載のミスト浴装置。
【考案の詳細な説明】
【技術分野】
【０００１】  本考案は、ミスト浴装置に関する。より詳しくは、屋内や自動車内において、人体を酸素水などの水溶液ミスト雰囲気下におくためのミスト浴装置に関する。
【背景技術】
【０００２】  一般家庭の室内、オフィスビル内、自動車室内などの空気環境が低酸素や高二酸化炭素の状態になると、その場にいる人々が眠気を感じたり、ストレスを高めたりすることが知られている。【０００３】  そこで、種々の酸素カプセル装置、酸素ガス吸入器、水素ガス吸入器、珪素水吸入器などが市販され、そのような装置または器具を利用したリラクゼーションサービスや疲労回復サービスも都市部を中心に数多く提供されている。【０００４】  例えば、特許文献１には、給湯機と、給湯機から供給される湯または水をミストとし浴室内へ噴出するミストノズルと、高濃度の酸素空気を作り出す酸素富化機と、酸素富化機で高濃度の酸素空気を浴室内へ噴出する酸素ノズルと、を有した酸素ミスト風呂装置が開示されている。【０００５】  しかしながら、現在市販されている種々の酸素カプセル装置や、特許文献１に開示されている酸素ミスト風呂装置などは、装置や機器の構成が複雑で大がかりになり、設置場所や設置コストの問題があった。また、酸素水ミストを浴室内や外気中に噴出させると、高価な水溶液が無駄に拡散されて消費量が多くなるという問題があった。
【先行技術文献】
【特許文献】
【０００６】
【特許文献１】特開２００６−１３０１９７号公報
【考案の概要】
【考案が解決しようとする課題】
【０００７】  上述したような従来技術の問題点に鑑み、本考案は、一般家庭やオフィスビルの室内、自動車室内などにおいて極めて簡単に設置することが可能であり、利用者のストレス感や疲労感などを簡便に解消でき、しかも経済的有利に利用できるミスト浴装置を提供することを課題とする。
【課題を解決するための手段】
【０００８】  本考案者は、ミスト浴装置の改良について鋭意検討を重ねた結果、利用者をカバーする特定の部材と、その部材内部へ水溶液ミストを供給するミスト供給源とを組み合わせて装置化することにより、前記課題を解決できることを見いだし、本考案を完成するに至った。【０００９】  すなわち、本考案によれば、利用者の上半身を覆うミスト浴カバーと、水溶液ミスト発生装置と、前記ミスト浴カバーと前記水溶液ミスト発生装置とを連結するミスト供給配管と、前記ミスト供給配管の前記ミスト浴カバー側の端部に連接され、前記ミスト浴カバー内に水溶液ミストを噴射するノズルとを備えることを特徴とするミスト浴装置が提供される。【００１０】  本考案のミスト浴装置は、前記水溶液ミストが酸素水、水素水、及び珪素水の少なくとも１種のミストであることが好ましく、前記利用者が着位する椅子または寝具に着脱可能であることが好ましい。また、本考案のミスト浴装置は、前記ミスト浴カバー内に情報発信装置を有することが好ましい。さらに、前記情報発信装置は遠隔操作可能に形成されていることが好ましい。
【考案の効果】
【００１１】  本考案のミスト浴装置は、一般家庭やオフィスビルの室内、自動車室内などにおいて極めて簡単に設置することができ、ミスト浴カバー内の狭い空間に各種の水溶液ミストを充満させ無駄なく効率的に顔や髪などに水溶液を供給することができるので、経済的有利に利用者が日常感じているストレス感や疲労感などを簡便に解消できる。
また、利用者が着位する椅子または寝具に着脱可能であるため、室内の限られたスペースを有効に利用できる。さらに、ミスト浴カバーで容易に遮光できるので、仮眠に適するとともに深いリラクゼーション効果が得られる。さらにまた、ミスト浴カバー内に情報発信装置を有するので利用者が各種の情報を得ることもできる。
加えて、上半身を覆うミスト浴カバー内にミストが充満することで、顔全体と髪の毛全体に効率の良いミスト浴が行うことができ、美容効果が得られる。酸素水ミストの場合は、その殺菌効果により常にミスト浴カバー内を自動的に衛生管理ができるため、感染症対策とメンテナンスが容易である。
【図面の簡単な説明】
【００１２】
【図１】ミスト浴装置の全体構成を示す説明図である。（ａ）はミスト浴カバーを平面矩形状にした平面図であり、（ｂ）はミスト浴カバーを平面楕円状にした平面図であり、（ｃ）は（ａ）及び（ｂ）の右側面図である。
【図２】ミスト浴装置のミスト浴カバーとノズルとの関係を示す説明図である。（ａ）はミスト浴カバーを閉じた状態を示す側面図であり、（ｂ）はミスト浴カバーを開いた状態を示す側面図である。また、（ｃ）はミスト浴カバーを閉じた状態の（ａ）の矢示図であり、上側の図は楕円状のミスト浴カバーを示し、下側の図は矩形状のミスト浴カバーを示す矢示図である。
【図３】ミスト浴装置の開閉状態を示す図２（ａ）の矢示図である。（ａ）は閉じた状態示す矢示図であり、（ｂ）は開いた状態を示す矢示図である。
【考案を実施するための形態】
【００１３】  本考案のミスト浴装置を実施するための好ましい形態を図面に基づいて説明する。なお、本考案のミスト浴装置は本実施形態に限定されるものではない。
【００１４】  図１（ａ）〜（ｃ）に示すように、ミスト浴装置ＡＡは、利用者Ａの上半身を覆うミスト浴カバー１（単に「カバー」ということもある。）と、水溶液ミスト発生装置４（単に「ミスト発生装置」ということもある。）と、前記カバー１と前記ミスト発生装置４とを連結するミスト供給配管５と、前記ミスト供給配管５のカバー１側の端部に連接され、前記カバー１内に水溶液ミストを噴射するノズル６とを備えている。
【００１５】  本考案においては、前記の「水溶液」として、酸素水、水素水、及び珪素水の少なくとも１種が好ましく用いられる。換言すると、前記水溶液ミストが、酸素水、水素水、及び珪素水の少なくとも１種のミストであることが好ましい。そのような水溶液の調製方法は特に限定されず、公知の方法に準じて調製することができる。本考案のミスト浴装置ＡＡでは、市販に供される水溶液ミスト発生装置４を使用して、酸素水、水素水、及び珪素水の少なくとも１種をセットし、それらの水溶液ミストを容易に発生させることができる。
【００１６】  利用者Ａの上半身を覆うカバー１を備えたミスト浴装置ＡＡの設置方法は特に限定されないが、図１（ａ）に示すように、利用者Ａが着位する椅子８に、ネジ止めなど公知の脱着設備３を介して着脱可能に設置することが好ましい。前記椅子８の種類、形状、材質等は特に限定されず、例えば、一般家庭用の椅子、温泉施設やリラクゼーション施設などに設置される休憩用の椅子、マッサージチェア、乗用車のシートなどが挙げられる。例えば、ミスト浴装置ＡＡを乗用車のシート（椅子８）に設置する場合は、シート本体とヘッドレスト９との間に脱着設備３を介して容易に設置できる。
【００１７】  また、図１（ｂ）及び（ｃ）に示すように、ミスト浴装置ＡＡは利用者Ａが着位する寝具１０の上半身側に設けられた脱着設備３を介して、ネジ止めなど公知の手法により着脱可能に設置することも好ましく推奨される。前記寝具１０の種類、形状、材質は特に限定されないが、一般家庭、仮眠施設、病院、宿泊施設などベッド（寝台）に好ましく適用される。ベッドに設置する場合は、ベッドの上半身側の上面と下面とを挟み込むように設けられた脱着設備３が好適である。
【００１８】  図２（ａ）〜（ｂ）、図３（ａ）〜（ｂ）に示すように、利用者Ａの上半身を覆うカバー１は椅子８または寝具１０に開閉自在に取り付けることができる。その開閉機構や部材は特に限定されず、例えば、カバー１と着脱設備３との連接部に公知の開閉ヒンジ２を適用することができる。カバー１が開閉自在であることにより、利用者Ａは極めて容易に椅子８または寝具１０に着位することが可能になる。
【００１９】  図２（ｃ）に示すように、カバー１の外観形状や特に限定されず、例えば、図２（ａ）〜（ｂ）及び図２（ｃ）下側のような矩形状にすることができる。また、図２（ｃ）上側及び図３（ａ）〜（ｂ）のような楕円状のカバー１を採用することもできる。カバー１の材質、サイズ、厚み、成型法も特に限定されず、例えば、ポリエチレン、ポリプロピレン、塩化ビニルなど市販の熱可塑性樹脂をプレス成型法、射出成型法などにより製作されたカバーを使用することができる。カバー１は透明であっても半透明であってよく、着色することもできる。
【００２０】  また、図１（ａ）〜（ｃ）および図２（ａ）〜（ｃ）に示すように、本考案のミスト浴装置ＡＡは、カバー１内に情報発信装置７を有することが好ましい。また、前記情報発信装置７はＷｉ−Ｆｉまたはブルートゥースなどにより映像を配信したり、ヘッドホン１２から音楽を配信したり、遠隔操作可能に形成されていることが好ましい。
【００２１】  ミスト浴装置ＡＡの椅子８または寝具１０に着位した利用者Ａは、前記情報発信装置７や前記ヘッドホン１２により、各種の映像や音楽を楽しむことができるとともに、より深い睡眠効果とリラクゼーション効果を得ることができる。前記情報発信装置７や前記ヘッドホン１２は市販のものを入手してミスト浴装置ＡＡに設置することができる。遠隔操作方法も特に限定されない。
【００２２】  図１及び図２の各図に示すように、本考案のミスト浴装置ＡＡは、前述したカバー１のほかに、ミスト発生装置４と、ミスト浴カバー１とミスト発生装置４とを連結するミスト供給配管５と、前記ミスト供給配管５の前記カバー１側の端部に連接され、前記カバー１内に水溶液ミストを噴射するノズル６と、を備えている。
【００２３】  ミスト発生装置４は、通常、椅子８または寝具１０に隣接するように床部に設置されている。ミスト発生装置４のミスト発生方法は特に限定されず、例えば、１００Ｖの家庭電源で稼働するミスト発生装置４の場合、装置内部に設けられた容器（タンク）に水溶液（酸素水、水素水、珪素水または、それらの混合液）を注入し、超音波や熱交換器または電気分解の作用により、水溶液ミストを発生させることができる。
【００２４】  そのように発生した水溶液ミストは、ミスト供給配管５を通り、ミスト供給配管５の端部にあるノズル６からカバー１内に噴霧される。ミスト供給配管５およびノズル６の材質は特に限定されず、例えば、合成樹脂製やアルミなどの金属製のものが挙げられる。ミスト供給配管５およびノズル６の形状、ノズル６とカバー１との接続方法も特に限定されない。
【００２５】  以上のように、本考案にかかるミスト浴装置は、利用者に酸素水ミスト、水素水ミスト、珪素水ミストを簡便に供給することができるため、業務用途および個人用途の健康福祉機器、美容機器等の分野に広く適用できる。
【符号の説明】
【００２６】ＡＡ  ミスト浴装置
Ａ    利用者
Ｂ    利用者の頭部
１    ミスト浴カバー（カバー）
２    開閉ヒンジ
３    脱着設備
４    水溶液ミスト発生装置
５    ミスト供給配管
６    ノズル
７    情報発信装置
８    椅子
９    ヘッドレスト
１０  寝具
１１  枕
１２  ヘッドホン
【図１】
0003226863.tif 000003
【図２】
0003226863.tif 000004
【図３】
0003226863.tif 000005